【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、１以上のレンズ群を含む後群を有し、
広角端に対して望遠端において前記第１レンズ群と前記第２レンズ群の間隔が増大し、前記第２レンズ群と前記第３レンズ群の間隔が減少し、前記第３レンズ群と前記後群の間隔が変化するズームレンズであって、
前記第１レンズ群は２つの正レンズと、１つの負レンズを有し、前記第２レンズ群は負レンズ、正レンズを有し、前記第１レンズ群を構成する正レンズのうち材料のアッベ数が最も大きい正レンズの材料のアッベ数をν１ｐ、前記第２レンズ群の１つの正レンズの材料の屈折率とアッベ数を各々Ｎ２ｐ、ν２ｐ、前記第１レンズ群の焦点距離をｆ１、前記第１レンズ群を構成する正レンズのうち材料のアッベ数が最も大きい正レンズの焦点距離をｆ１ｐ、広角端から望遠端へのズーミングにおける前記第１レンズ群の移動量をＭ１、広角端における全系の焦点距離をｆｗとするとき、
８０．０＜ν１ｐ
１．０＜ｆ１ｐ／ｆ１＜１．６
ν２ｐ＜１８．４
１．９０＜Ｎ２ｐ
−６．５＜Ｍ１／ｆｗ＜−４．０
なる条件を満足することを特徴とするズームレンズ。
【請求項２】
広角端から望遠端へのズーミングにおける前記第３レンズ群の移動量をＭ３、広角端における全系の焦点距離をｆｗとするとき、
−４．０＜Ｍ３／ｆｗ＜−２．７
なる条件を満足することを特徴とする請求項１に記載のズームレンズ。
【請求項３】
広角端における全系の焦点距離をｆｗとするとき、
７．０＜ｆ１／ｆｗ＜１０．０
なる条件を満足することを特徴とする請求項１又は２に記載のズームレンズ。
【請求項４】
前記第２レンズ群の焦点距離をｆ２、広角端における全系の焦点距離をｆｗとするとき、
１．２＜｜ｆ２｜／ｆｗ＜１．６
なる条件を満足することを特徴とする請求項１乃至３のいずれか１項に記載のズームレンズ。
【請求項５】
前記第３レンズ群の焦点距離をｆ３、広角端における全系の焦点距離をｆｗとするとき、
１．７＜ｆ３／ｆｗ＜４．６
なる条件を満足することを特徴とする請求項１乃至４のいずれか１項に記載のズームレンズ。
【請求項６】
前記第１レンズ群を構成する２つの正レンズの材料の屈折率の差をΔＮ１ｐとするとき、
０．１＜ΔＮ１ｐ＜０．４
なる条件を満足することを特徴とする請求項１乃至５のいずれか１項に記載のズームレンズ。
【請求項７】
前記第２レンズ群は、物体側から像側へ順に、屈折力の絶対値が物体側に比べて像側のレンズ面が大きく、像側に凹面を向けた負レンズＧ２ｎと物体側に凸面を向けた正レンズＧ２ｐを有し、前記負レンズＧ２ｎの像側のレンズ面から前記正レンズＧ２ｐの物体側のレンズ面までの光軸上の距離をｄ２、広角端における全系の焦点距離をｆｗとするとき、
０．５２＜ｄ２／ｆｗ＜１．００
なる条件を満足することを特徴とする請求項１乃至６のいずれか１項に記載のズームレンズ。
【請求項８】
前記第２レンズ群を構成する屈折力の絶対値が最も大きい負レンズの材料のアッベ数をν２ｎとするとき、
０．０２９＜（１／ν２ｐ−１／ν２ｎ）＜０．０５０
なる条件を満足することを特徴とする請求項１乃至７のいずれか１項に記載のズームレンズ。
【請求項９】
請求項１乃至８のいずれか１項に記載のズームレンズと、該ズームレンズによって形成される像を受光する撮像素子を有することを特徴とする撮像装置。 
【手続補正２】
【補正対象書類名】明細書
【補正対象項目名】０００８
【補正方法】変更
【補正の内容】
【０００８】
本発明のズームレンズは、物体側より像側へ順に、正の屈折力の第１レンズ群、負の屈折力の第２レンズ群、正の屈折力の第３レンズ群、１以上のレンズ群を含む後群を有し、
広角端に対して望遠端において前記第１レンズ群と前記第２レンズ群の間隔が増大し、前記第２レンズ群と前記第３レンズ群の間隔が減少し、前記第３レンズ群と前記後群の間隔が変化するズームレンズであって、
前記第１レンズ群は２つの正レンズと、１つの負レンズを有し、前記第２レンズ群は負レンズ、正レンズを有し、前記第１レンズ群を構成する正レンズのうち材料のアッベ数が最も大きい正レンズの材料のアッベ数をν１ｐ、前記第２レンズ群の１つの正レンズの材料の屈折率とアッベ数を各々Ｎ２ｐ、ν２ｐ、前記第１レンズ群の焦点距離をｆ１、前記第１レンズ群を構成する正レンズのうち材料のアッベ数が最も大きい正レンズの焦点距離をｆ１ｐ、広角端から望遠端へのズーミングにおける前記第１レンズ群の移動量をＭ１、広角端における全系の焦点距離をｆｗとするとき、
８０．０＜ν１ｐ
１．０＜ｆ１ｐ／ｆ１＜１．６
ν２ｐ＜１８．４
１．９０＜Ｎ２ｐ
−６．５＜Ｍ１／ｆｗ＜−４．０なる条件を満足することを特徴としている。
【手続補正３】
【補正対象書類名】明細書
【補正対象項目名】００２１
【補正方法】変更
【補正の内容】
【００２１】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。球面収差図において、実線のｄはｄ線、２点鎖線のｇはｇ線を示す。非点収差図において点線のΔＭはメリディオナル像面、実線のΔＳはサジタル像面、倍率色収差はｇ線によって表している。ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。各実施例において矢印は、広角端から望遠端へのズーミング又はフォーカスに際しての移動軌跡を示している。
【手続補正４】
【補正対象書類名】明細書
【補正対象項目名】００４２
【補正方法】変更
【補正の内容】
【００４２】
各実施例において、更に好ましくは条件式（６）〜（１２）の数値範囲を次の如く設定
するのが良い。
【手続補正５】
【補正対象書類名】明細書
【補正対象項目名】００４３
【補正方法】変更
【補正の内容】
【００４３】
−３．８＜Ｍ３／ｆｗ＜−３．０・・・・・・・・・・・・・（６ａ）
７．４＜ｆ１／ｆｗ＜９．０・・・・・・・・・・・・・・・（７ａ）
１．３＜｜ｆ２｜／ｆｗ＜１．５・・・・・・・・・・・・・（８ａ）
１．８＜ｆ３／ｆｗ＜４．５・・・・・・・・・・・・・・・（９ａ）
０．１０３＜ΔＮ１ｐ＜０．３６０・・・・・・・・・・・（１０ａ）
０．５６＜ｄ２／ｆｗ＜０．９５・・・・・・・・・・・・（１１ａ）
０．０３０＜（１／ν２ｐ−１／ν２ｎ）＜０．０４５・・（１２ａ）
実施例１乃至５のズームレンズの特徴について説明する。図１、図５、図７の実施例１、３、４のズームレンズでは、広角端から望遠端のズーム位置へのズーミングに際して、次の如く各レンズ群間隔を変化させている。即ち、第１レンズ群Ｌ１と第２レンズ群Ｌ２との間隔が広がるよう、第２レンズ群Ｌ２と第３レンズ群Ｌ３との間隔が狭まるよう、第３レンズ群Ｌ３と第４レンズ群Ｌ４との間隔が変化するようにしている。更に第４レンズ群Ｌ４と第５レンズ群Ｌ５の間隔が広がるように各レンズ群が移動している。
【手続補正６】
【補正対象書類名】明細書
【補正対象項目名】００５７
【補正方法】変更
【補正の内容】
【００５７】
なる式で表している。また、［e+X］は［×10＋ｘ］を意味し、［e-X］は［×10-ｘ］を意味している。画角は半画角（度）を示している。ＢＦはレンズ最終面から近軸像面までの距離（バックフォーカス）を空気換算したものである。レンズ全長はレンズ最前面からレンズ最終面までの距離にバックフォーカスＢＦを加えたものである。非球面は面番号の後に*を付加して示す。前述の各条件式と数値実施例における諸数値の関係を表１に示す。